(57)【要約】   【課題】化粧鎖を伝って外部者が上階に侵入することがない竪樋用化粧鎖取付具を提供することを目的とする。  【解決手段】竪樋用化粧鎖取付具１１は竪樋１２に挿入される本体部２０とこの本体部２０に係止される固定部２１とこの固定部２１に係止されて化粧鎖１３を吊下げる吊具２２とから成る。本体部２０は円筒形状で内周面２０ｃに水平リング状の突起２０ｄが形成される。固定部２１は漏斗状（側面視で円錐台形）で上端の広口部にフランジ２１ｂを備えるとともに、このフランジ２１ｂの上面の対向する位置に一対の溝部２１ｃを設ける。固定部２１はフランジ２１ｂを介して突起２０ｄに保持される。吊具２２は棒状材でＶ字形状に形成され、吊具２２の上端部に吊具２２が固定部２１の溝部２１ｃに載置して係止される水平部２２ｃを備える。【選択図】  図２
2008133606.tif 000002
【特許請求の範囲】
【請求項１】
筒形状の竪樋に化粧鎖を連結する竪樋用化粧鎖取付具が本体部と固定部と化粧鎖を吊下げる吊具とから成り、
前記本体部は筒形状で内周面に水平の突起を備えて竪樋に嵌入され、
前記固定部は漏斗状で上端部の広口部の周縁にフランジを備えるとともに、このフランジの上面の対向する位置に一対の溝部を設け、このフランジを介して前記固定部が前記本体部の突起に保持され、
前記吊具は棒状材でＶ字形状に形成され、前記固定部の溝部に係止される水平部をＶ字形状の両端に備えることを特徴とする竪樋用化粧鎖取付具。
【請求項２】
請求項１記載の竪樋用化粧鎖取付具であって、前記竪樋用化粧鎖取付具が円筒形状の竪樋用に形成されることを特徴とする竪樋用化粧鎖取付具。
【請求項３】
請求項１又は請求項２に記載の竪樋用化粧鎖取付具であって、前記吊具は弾性材で形成されることを特徴とする竪樋用化粧鎖取付具。
【発明の詳細な説明】
【技術分野】
【０００１】
本発明は、竪樋に化粧鎖を連結する竪樋用化粧鎖取付具に関し、特に外部者が竪樋を伝って建物の上階に侵入するのを防止するのに好適な竪樋用化粧鎖の接続構造に関する。
【背景技術】
【０００２】
従来、和風住宅の玄関等に化粧鎖が用いられる場合がある。化粧鎖を用いると、雨水が鎖を伝うようにして排水されるのを目で見て楽しむことができるので装飾性とともに詩情豊かな景観が創出できる。
【０００３】
このような化粧鎖を竪樋に連結する竪樋用化粧鎖取付具の構成として特許文献１の方法が知られている。特許文献１によれば、図４に示すように、連結した化粧鎖7が上下の竪樋４の中間部に取付けられる。化粧鎖7の材質は銅や鉄、プラスチック等が用いられる。
【０００４】
ここで、上方の竪樋４の下端に竪樋用化粧鎖取付具（キャップ２）が嵌着されるとともに下方の竪樋の上端にキャップ３が嵌着されて、一連の化粧鎖7の上端と下端は各々キャップ２、３に取付けられる。なお、竪樋４とキャップ２、３は接着による固定でもよい。
【０００５】
これにより、化粧鎖7を竪樋４に確実に固定できて化粧鎖7が揺れ動くことがなくなり雨水の飛散が防止できる。また、化粧鎖7自身の補強にもなるので、ボール等の衝突や熱変形からの保護ができる。
【特許文献１】実開昭５６−０８２２２８号公報
【発明の開示】
【発明が解決しようとする課題】
【０００６】
ところが、上記、竪樋４にキャップ２、３を嵌着又は接着して、一連の化粧鎖7の上端と下端をキャップ２、３に各々取付けた場合、外部者が化粧鎖7を伝って上階のベランダ等に侵入する恐れがあった。また、竪樋用化粧鎖取付具（キャップ２）が竪樋４よりも突出するので外観が悪く品質性に劣るという問題があった。
【０００７】
そこで、本発明は、化粧鎖を伝って外部者が上階のベランダ等に侵入することがなく外観も良くて品質性が向上する竪樋用化粧鎖取付具を提供することを目的とする。
【課題を解決するための手段】
【０００８】
請求項１の発明は、筒形状の竪樋に化粧鎖を連結する竪樋用化粧鎖取付具が本体部と固定部と化粧鎖を吊下げる吊具とから成り、前記本体部は筒形状で内周面に水平の突起を備えて竪樋に嵌入され、前記固定部は漏斗状で上端部の広口部の周縁にフランジを備えるとともに、このフランジの上面の対向する位置に一対の溝部を設け、このフランジを介して前記固定部が前記本体部の突起に保持され、前記吊具は棒状材でＶ字形状に形成され、前記固定部の溝部に係止される水平部をＶ字形状の両端に備えることを特徴としている。
【０００９】
請求項２の発明は、請求項１記載の竪樋用化粧鎖取付具であって、前記竪樋用化粧鎖取付具が円筒形状の竪樋用に形成されることを特徴としている。
【００１０】
請求項３の発明は、請求項１又は請求項２に記載の竪樋用化粧鎖取付具であって、前記吊具は弾性材で形成されることを特徴としている。
【発明の効果】
【００１１】
請求項１記載の発明によれば、竪樋用化粧鎖取付具は竪樋に挿入される本体部とこの本体部に係止される固定部とこの固定部に係止されて化粧鎖を吊下げる吊具とから成る。このため、竪樋用化粧鎖取付具が竪樋の側面から突出しないので、竪樋用化粧鎖取付具の外観が優れ品質性が向上する。
【００１２】
さらに、前記固定部は漏斗状で上端部の広口部の周縁にフランジを備えるとともに、このフランジの上面の対向する位置に一対の溝部を設け、Ｖ字形状に形成された前記吊具の両端に設けられる水平部が前記固定部の溝部に係止されるので、外部者が化粧鎖を伝って侵入しようとした際には、前記吊具の水平部が前記固定部の溝部に係止されているだけなので、水平部は溝部から容易に脱落して化粧鎖が外れるので外部者の侵入を防ぐことができる。
【００１３】
請求項２記載の発明によれば、前記竪樋用化粧鎖取付具が円筒形状なので市場に多く普及している竪樋に使用できるため汎用性に優れてコストを下げることができる。
【００１４】
請求項３記載の発明によれば、前記吊具は弾性材で形成されるので、Ｖ字形状を狭めて容易に前記固定部に脱着することができるので、取替え時のメンテナンス性も優れる。
【発明を実施するための最良の形態】
【００１５】
＜竪樋用化粧鎖取付具の構成＞  
以下に、本発明の実施形態を図１〜図３に基づいて説明する。
【００１６】
図１に示すように、本実施例の竪樋用化粧鎖取付具１１は垂直に設けられる円筒形状の竪樋１２に嵌入して取付けられ、竪樋用化粧鎖取付具１１に化粧鎖１３が連結される。好ましくは、竪樋用化粧鎖取付具１１は外部者の手が届かない高さ位置に設けられる。
【００１７】
竪樋１２は上方の図示しない屋根の軒樋から下垂され、竪樋１２の下端部近傍が建物１５に控金具１４で固着される。控金具１４は建物１５に固着するためのネジ等のアンカー部１４ａと竪樋１２を受けるための受部１４ｂとバンド部１４ｃとから成る。
【００１８】
一連の連結された化粧鎖１３ａの最下部は地面１８内に設けた排水管１６を覆って設けられた排水管カバー１７内に納められるが、化粧鎖１３ａが風等で揺れて建物に傷が付く恐れのある場合には化粧鎖１３ａの最下部は排水管カバー１７内で固定するのが好ましい。
【００１９】
図２、図３（ａ）、（ｂ）、（ｃ）に示すように、竪樋用化粧鎖取付具１１は本体部２０と固定部２１と化粧鎖１３を吊下げる吊具２２とから成る。ここで、竪樋１２の内径Ｑ、側面１２ａの板厚Ｐである。
【００２０】
本体部２０は外直径Ｑ１、内直径Ｑ２、全高さＨ１の円筒形状で下端部２０ａにフランジ２０ｂが形成され、内周面２０ｃに水平リング状の突起２０ｄが形成される。ここで、フランジ２０ｂ外面から突起２０ｄの上端までの高さＨ２、フランジ２０ｂの本体部２０外面からの突出長さＰ１である。そして、竪樋１２の内径Ｑと本体部２０の外直径Ｑ１は同じ長さ、竪樋１２の板厚Ｐとフランジ２０ｂの突出長さＰ１は同じ長さに形成される。
【００２１】
固定部２１は漏斗状（側面視で円錐台形）で上端の広口部の周縁２１ａに外直径Ｑ３のフランジ２１ｂを備えるとともに、このフランジ２１ｂの上面の対向する位置に一対の溝部２１ｃを設ける。ここで、本体部２０の内直径Ｑ２と固定部２１の外直径Ｑ３とは同じ長さに形成されるので、固定部２１は本体部２０の上端部から挿入されてフランジ２１ｂを介して突起２０ｄに安定して保持される。
【００２２】
吊具２２は棒状材でＶ字形状に形成され、Ｖ字形状の下端部２２ａは挿入された化粧鎖１３の上端部のリング１３ｂを吊下げできるように円弧状に形成され、吊具２２の上端部２２ｂに吊具２２が固定部２１の溝部２１ｃに係止される水平部２２ｃを備える。
【００２３】
ここで、吊具２２は弾性材で形成されるので、手で押さえてＶ字形状を狭めたり手を離して自然に元のＶ字形状に復帰させることにより容易に固定部２１に脱着することができる。
【００２４】
吊具２２の水平部２２ｃは外部侵入者の重力を支えるだけの強度を保持せず、例えば、外部侵入者の重力を６０Ｋｇとしてその１／３の２０Ｋｇに耐える強度に設定される。
【００２５】
竪樋用化粧鎖取付具１１の組付け手順は、まず、固定部２１が突起２０ｄに保持された状態の本体部２０を竪樋１２に嵌入し、固着吊具２２が固定部２１に係止される。なお、本体部２０は接着剤を用いて竪樋１２に固着してもよい。
【００２６】
本体部２０と固定部２１はアクリル系樹脂や硬質塩化ビニール樹脂等の合成樹脂、吊具２２はステンレス材が用いられる。
【００２７】
＜竪樋用化粧鎖取付具の作用＞
上記のように、竪樋１２の内径Ｑと本体部２０の外直径Ｑ１が同じ長さ、竪樋１２の板厚Ｐとフランジ２０ｂの突出長さＰ１が同じ長さに形成される。このため、竪樋１２に本体部２０を挿入した状態でもフランジ２０ｂが竪樋１２の側面１２ａから突出しないので、竪樋用化粧鎖取付具１１の外観が優れているので品質性が向上する。
【００２８】
また、吊具２２の上端部２２ｂの水平部２２ｃが固定部２１の溝部２１ｃ内において、化粧鎖１３の重力で常時下方に静止荷重が掛かっている吊具２２は安定して係止される。
【００２９】
外部者が化粧鎖１３を伝って二階のベランダ等に侵入しようとした際には、吊具２２の水平部２２ｃは外部者の重力を支えるだけの強度を保持していないので、水平部２２ｃが容易に固定部２１の溝部２１ｃから脱落して化粧鎖１３が外れるので外部者の侵入を防ぐことができる。
【００３０】
吊具２２は弾性材で形成されるので、容易に固定部２１に脱着することができるので、交換等のメンテナンスが容易にできる。
【００３１】
漏斗状の固定部２１によって、雨水を化粧鎖１３の中心部に集めることができるので雨水の飛散を防ぐことができる。
【００３２】
以上、本発明の実施例を図面に基づいて説明したが、具体的な構成はこの実施例に限られるものではなく本発明の要旨を逸脱しない範囲の設計変更等があっても本発明に含まれる。
【００３３】
竪樋用化粧鎖取付具１１は他の筒形状の竪樋に用いることも可能であり、たとえば、矩形筒形状の竪樋に化粧鎖を連結する構成でも構わない。この場合、本体部２０は矩形筒形状で固定部２１は四角錐台形の漏斗状となる。
【００３４】
本体部２０にフランジ２０ｂを備えない構成でも構わない。
【００３５】
固定部２１のフランジ２１ｂの上面の対向する位置に設ける一対の溝部２１ｃの代わりに上面に一対の突起を形成してその一対の突起による溝部でも良い。
【００３６】
本体部２０の内周面２０ｃの水平リング状の突起２０ｄは、水平に断続的に形成される突起２０ｄでも構わない。      
吊具２２は弾性材でも構わない。この場合、前記吊具２２を予め固定部２１の上方から挿入して後に固定部２１を本体部２０に組付ければよい。
【図面の簡単な説明】
【００３７】
【図１】本発明の実施形態における、竪樋１２と竪樋用化粧鎖取付具１１と化粧鎖１３の組付け側面図である。
【図２】本発明の実施形態における、図１におけるＡ部の一部断面視詳細側面図である。
【図３】本発明の実施形態における竪樋用化粧鎖取付具１１の、（ａ）は本体部２０の斜視図、（ｂ）は固定部２１の斜視図、（ｃ）は吊具２２の斜視図である。
【図４】従来例における、竪樋用化粧鎖取付具（キャップ２）の取付斜視図である。
【符号の説明】
【００３８】
１１  竪樋用化粧鎖取付具
１２  竪樋
１３  化粧鎖
２０  本体部
２０ｃ  内周面
２０ｄ  突起
２１  固定部
２１ｂ  フランジ
２１ｃ  溝部
２２  吊具
２２ｃ  水平部
【図１】
2008133606.tif 000003
【図２】
2008133606.tif 000004
【図３】
2008133606.tif 000005
【図４】
2008133606.tif 000006